(57)【特許請求の範囲】
【請求項１】
ランプボディとカバーで形成された灯室内に、車両前後方向に延びる光軸上に配置された投影レンズと、前記投影レンズの後方側に配置された光源と、前記光源からの光を前方に向けて前記光軸寄りに反射するリフレクタと、前記投影レンズと前記光源との間に配置されて前記リフレクタからの反射光の一部及び前記光源からの直接光の一部を遮蔽して配光パターンのカットオフラインを形成するシェード機構と、を備えた車両用前照灯であって、
前記シェード機構は、
前記光軸の下方近傍において車体幅方向に延びる水平軸線に沿って配置されると共に該水平軸線回りに回動し得るように構成された回動軸部材から成り、ハイビーム用配光パターンの一部を遮光する為に前記回動軸部材の外周面に突設された第１ハイビーム用配光生成部を含む複数の配光生成部が周方向に沿って形成された回転シェードと、
前記回転シェードを回動させることにより、複数の前記配光生成部を選択的に上側に移動するアクチュエータと、を備え、
前記第１ハイビーム用配光生成部の車幅方向側面には、前記光源からの光を前記投影レンズに入射しない方向へ反射するための反射部が設けられることを特徴とする車両用前照灯。
【請求項２】
前記反射部が、断面三角形の縦目ローレット溝により形成されていることを特徴とする請求項１に記載の車両用前照灯。
【請求項３】
前記光軸を挟んで車幅方向に配置された一対の前記光源と、これら各光源からの光を前方に向けて前記光軸寄りに反射することにより、それぞれ左右の片ハイビーム用配光パターンを形成する一対のリフレクタと、を備えることを特徴とする請求項１及び２に記載の車両用前照灯。
【発明の詳細な説明】
【技術分野】
【０００１】
本発明は、車両用前照灯に関し、特に先行車や対向車の有無等に応じて前照灯の配光を変化させることができる可変配光機能を備えたプロジェクタ型の車両用前照灯に関する。
【背景技術】
【０００２】
従来より、車両前後方向に延びる光軸上に配置された光源からの光をリフレクタにより前方へ向けて光軸寄りに集光反射させ、この反射光をリフレクタの前方に設けられた投影レンズを介して灯具前方へ照射するように構成されたプロジェクタ型の灯具ユニットを備えた車両用前照灯が知られている。
この様なプロジェクタ型の灯具ユニットを使用する場合、投影レンズとリフレクタとの間にリフレクタからの反射光の一部を遮蔽可能なシェードを設けて、例えばすれ違い配光パターン等の要求される配光パターンに合わせて不要部分を遮蔽することで、所望の配光パターンの上端部にカットオフラインを形成することができる。
【０００３】
更に、車幅方向に延びる水平軸線回りに回動し得るように構成された回動軸部材からなるシェード（回転シェード）を設け、この回転シェードを車両走行状況に応じて回動させることにより、灯具ユニットからの光照射によって車両前方に形成される配光パターンを選択的に変化させる可変配光機能を備えたプロジェクタ型の灯具ユニットも提案されている。
【０００４】
そして、例えば特許文献１等には、外周面に複数の配光生成部が形成された絞り軸（回転シェード）を備えたプロジェクタ型ヘッドライトをそれぞれ車両の左右に配置し、例えば車両前方に照射されるハイビーム用合成配光パターンの一部（例えば、車幅方向の略中央部）を遮光して遮光部分（非照射部分）を形成することで、先行車や対向車の有無等に応じてハイビーム用合成配光パターンを変化させて視認性の向上を図ることができる車両用プロジェクタヘッドライトが記載されている。
【先行技術文献】
【特許文献】
【０００５】
【特許文献１】米国公開特許第２０１０／００３３９７８号公報
【発明の概要】
【発明が解決しようとする課題】
【０００６】
ところで、上記特許文献１等に開示された車両用プロジェクタヘッドライトの構成では、配光パターンを変化させる為に回転シェードを回動させた際、ハイビーム用配光パターンに遮光部分を形成するために該回転シェードの外周面に形成した配光生成部が投影レンズの後方側焦点よりも前方に位置することとなる。そして、配光生成部の車幅方向側面が投影レンズの後方側焦点よりも前に位置すると、この車幅方向側面に入射した光源からの光が、反射して投影レンズに入射してしまう。
【０００７】
そこで、例えば遮光部分の車幅方向幅を変化させるなどして配光パターンを変える為に回転シェードを回動させた際、この遮光部分にグレアが発生するという問題があった。
従って、本発明の目的は上記課題を解消することに係り、先行車や対向車の有無等に応じて前照灯の配光を変化させることができると共に、ハイビーム用配光パターンに形成した遮光部分にグレアが生じるのを防止することができる車両用前照灯を提供することである。
【課題を解決するための手段】
【０００８】
本発明の上記目的は、ランプボディとカバーで形成された灯室内に、車両前後方向に延びる光軸上に配置された投影レンズと、前記投影レンズの後方側に配置された光源と、前記光源からの光を前方に向けて前記光軸寄りに反射するリフレクタと、前記投影レンズと前記光源との間に配置されて前記リフレクタからの反射光の一部及び前記光源からの直接光の一部を遮蔽して配光パターンのカットオフラインを形成するシェード機構と、を備えた車両用前照灯であって、
前記シェード機構は、
前記光軸の下方近傍において車体幅方向に延びる水平軸線に沿って配置されると共に該水平軸線回りに回動し得るように構成された回動軸部材から成り、ハイビーム用配光パターンの一部を遮光する為に前記回動軸部材の外周面に突設された第１ハイビーム用配光生成部を含む複数の配光生成部が周方向に沿って形成された回転シェードと、
前記回転シェードを回動させることにより、複数の前記配光生成部を選択的に上側に移動するアクチュエータと、を備え、
前記第１ハイビーム用配光生成部の車幅方向側面には、前記光源からの光を前記投影レンズに入射しない方向へ反射するための反射部が設けられることを特徴とする車両用前照灯により達成される。
【０００９】
上記構成の車両用前照灯によれば、第１ハイビーム用配光生成部の車幅方向側面に入射した光源からの光は、反射部によって投影レンズに入射しない方向へ反射される。そこで、第１ハイビーム用配光生成部の車幅方向側面が投影レンズの後方側焦点よりも前に位置した際にも、この車幅方向側面で反射した光が投影レンズに入射してしまうことはない。そこで、ハイビーム用配光パターンに形成した遮光部分にグレアを生じることがない。
【００１０】
尚、上記構成の車両用前照灯において、前記反射部が、断面三角形の縦目ローレット溝により形成されていることが望ましい。
このような構成の車両用前照灯によれば、第１ハイビーム用配光生成部の外形形状を維持しつつ、車幅方向側面に反射部を容易に一体成形することができる。そこで、ハイビーム用配光パターンに形成する遮光部分のカットオフラインを維持しつつ、光源からの光を投影レンズに入射しない方向へ確実に反射することができる反射部を容易に形成することができる。
【００１１】
また、上記構成の車両用前照灯において、前記光軸を挟んで車幅方向に配置された一対の前記光源と、これら各光源からの光を前方に向けて前記光軸寄りに反射することにより、それぞれ左右の片ハイビーム用配光パターンを形成する一対のリフレクタと、を備えることが望ましい。
【００１２】
このような構成の車両用前照灯によれば、一対の光源をそれぞれ点灯制御することにより、片ハイビーム用配光パターンを容易に得ることができる。そこで、複数種のハイビーム用配光パターンを容易に得ることができ、走行状態に応じた最適な視認性を得ることができる。
【発明の効果】
【００１３】
以上に説明した本発明の車両用前照灯によれば、先行車や対向車の有無等に応じて前照灯の配光を変化させることができると共に、ハイビーム用配光パターンに形成した遮光部分に生じるグレアを防止することができる。
【図面の簡単な説明】
【００１４】
【図１】本発明の一実施形態に係る車両用前照灯の概略縦断面図である。
【図２】図１の車両用前照灯における灯具ユニットの概略水平断面図である。
【図３】図２に示した回転シェードの全体斜視図である。
【図４】図２に示した灯具ユニットにおける回転シェードがハイビーム用配光パターンを生成する状態を説明するための要部斜視図である。
【図５】図２に示した灯具ユニットにおける回転シェードがハイビーム用配光パターンにおける車幅方向の略中央部を遮光する状態を説明するための要部斜視図である。
【図６】車両用前照灯から前方へ照射される光により灯具前方２５ｍの位置に配置された仮想鉛直スクリーン上に形成される配光パターン例を透視的に示す図であり、（a）は通常ハイビーム用配光パターンを示し、（ｂ）は追走ハイビーム用配光パターンを示し、（ｃ）は対向ハイビーム用配光パターンと示し、（ｄ）は片側対向ハイビーム用配光パターンを示す。
【図７】対向ハイビーム用配光パターンにグレアが生じた状態を示す図である。
【発明を実施するための形態】
【００１５】
以下、添付図面に基づいて本発明の一実施形態に係る車両用前照灯を詳細に説明する。
図１に示すように、本実施形態の車両用前照灯１は、素通し状の透明カバー（カバー）２とランプボディ３とで区画形成された灯室４内に、灯具ユニット５が収容されている。
灯具ユニット５は、エイミングスクリュウ６ａ及びエイミングナット６ｂとで構成されるエイミング機構６を介して、ランプボディ３に支持されている。エイミング機構６は、エイミングナット６ｂによる締め付けを調整することで灯具ユニット５の取付位置及び取付角度を微調整するための機構で、エイミング調整した段階では、灯具ユニット５の光軸Ａｘは、車両前後方向に対して０．５〜０．６度程度下向きの方向に延びるようになっている。
【００１６】
灯具ユニット５は、図１及び図２に示すように、プロジェクタ型の灯具ユニットであり、車両前後方向に延びる光軸Ａｘ上に配置された投影レンズ８と、投影レンズ８の後方側焦点Ｆよりも後方に配置された左右一対の半導体発光素子（光源）１０Ｌ，１０Ｒと、各半導体発光素子１０Ｌ，１０Ｒからの光を前方に向けて光軸Ａｘ寄りに反射する左右一対のリフレクタ１３Ｌ，１３Ｒと、投影レンズ８と半導体発光素子１０Ｌ，１０Ｒとの間に配置されてリフレクタ１３Ｌ，１３Ｒからの反射光の一部及び半導体発光素子１０Ｌ，１０Ｒからの直接光の一部を遮蔽して配光パターンのカットオフラインを形成するシェード機構１５と、を備えている。
【００１７】
投影レンズ８は、前方側表面が凸面で後方側表面が平面の平凸レンズからなり、その後方側焦点Ｆを含む焦点面上の像を反転像として前方へ投影するようになっている。
【００１８】
本実施形態の場合、半導体発光素子１０Ｌ，１０Ｒは、それぞれ発光部１０ａを有する白色ダイオードである。一対の半導体発光素子１０Ｌ，１０Ｒは、光軸Ａｘを挟んで車幅方向左右に配置され、その照射軸Ｌｘが灯具ユニット５の照射方向（図１中左方向）と略垂直となる略鉛直下方に向けられた状態でＬＥＤ支持部材９に固定されている。尚、これら半導体発光素子１０Ｌ，１０Ｒは、図示しない点灯制御装置により独立して点灯制御される。
【００１９】
本実施形態のリフレクタ１３Ｌ，１３Ｒは、図２に示すように、光軸Ａｘを中心とする左右一対の反射面１３Ｌａ，１３Ｒａを有し、互いに接続されて一体化された反射部材である。これら反射面１３Ｌａ，１３Ｒａは、アルミニウム合金や樹脂等から成るリフレクタ本体７の一部にアルミニウム蒸着等で形成された略楕円球面状の反射面である。
【００２０】
これら反射面１３Ｌａ，１３Ｒａは、断面形状が発光部１０ａの中心位置を第１焦点（Ｆ１）とすると共に投影レンズ８の後方側焦点Ｆ近傍を第２焦点とする略楕円形に設定されており、左右の半導体発光素子１０Ｌ，１０Ｒとそれぞれ向かい合うように配置されている。従って、これら反射面１３Ｌａ，１３Ｒａは、発光部１０ａからの光を前方へ向けて光軸Ａｘ寄りに集光反射させるようになっている。また、これら反射面１３Ｌａ，１３Ｒａの離心率は、鉛直断面から水平断面へ向けて徐々に大きくなるように設定されている。
【００２１】
リフレクタ１３Ｌ，１３Ｒの境界には、光軸Ａｘに沿って後方側焦点Ｆの手前まで延びるように固定遮光板１２が配置されている。固定遮光板１２は、反射面１３Ｌａ，１３Ｒａでそれぞれ反射された反射光Ｂ１，Ｂ２の光軸中心側の一部を遮り、左側ハイビーム用配光パターンＰＨＬ及び右側ハイビーム用配光パターンＰＨＲの光軸中心側に垂直カットオフラインを形成する（図６参照）。
【００２２】
図１に示すように、リフレクタ本体７の上面にはＬＥＤ支持部材９が取付固定されると共に、後面には支持フレーム１１が固定されている。この支持フレーム１１がエイミング機構６を介してランプボディ３に支持されており、後面には放熱フィン１８が突設されている。
【００２３】
本実施形態のシェード機構１５は、図１〜図５に示すように、光軸Ａｘの下方近傍において車体幅方向に延びる水平軸線Ｈｘに沿って配置されると共に該水平軸線Ｈｘ回りに回動し得るように構成された回動軸部材から成る回転シェード２０と、回転シェード２０を回動させるアクチュエータとしての回転モータ３０と、を備える。
【００２４】
本実施形態の回転シェード２０は、水平軸線Ｈｘ上に配置された支軸２１ａ，２１ｂを両端に有する略四角柱状の金属部材から成る。回転シェード２０の一端側に突設された支軸２１ａは、回転モータ３０のモータ軸３０ａに連結される。
この回転シェード２０の外周面には、ハイビーム用配光パターンの一部（本実施形態においては車幅方向の略中央部）を遮光する為に外周面に突設された追走ハイビーム用配光生成部（第１ハイビーム用配光生成部）２０Ａと、対向ハイビーム用配光生成部２０Ｂと、通常ハイビーム用配光生成部２０Ｃと、を有する複数の配光生成部が周方向に沿って形成されている。
【００２５】
更に、図３及び図５に示すように、本実施形態の追走ハイビーム用配光生成部２０Ａ及び対向ハイビーム用配光生成部２０Ｂの車幅方向両側面には、半導体発光素子１０Ｌ，１０Ｒからの光を投影レンズ８に入射しない方向へ反射するための反射部２２が設けられている。
【００２６】
この反射部２２は、断面三角形の縦目ローレット溝により形成されており、これら縦目ローレット溝の方向と斜面の傾斜角度を適宜設定することで、リフレクタ１３Ｌ，１３Ｒによって前方に反射された光が、図２に示すように投影レンズ８の入射面（後方側表面）に入射しない方向へ反射されるように構成されている。
【００２７】
この様な縦目ローレット溝により反射部２２を形成することにより、追走ハイビーム用配光生成部２０Ａ及び対向ハイビーム用配光生成部２０Ｂの外形形状を維持しつつ、車幅方向両側面に反射部２２を容易に一体成形することができる。そこで、ハイビーム用配光パターンに形成する遮光部分Ｃ１又はＣ２のカットオフラインを維持しつつ、半導体発光素子１０Ｌ，１０Ｒからの光を投影レンズ８に入射しない方向へ確実に反射することができる反射部２２を容易に形成することができる（図６参照）。
尚、反射部を単一の傾斜面や曲面等で形成した場合には、配光生成部の外形形状が変わってしまう為、ハイビーム用配光パターンに形成する遮光部分Ｃ１又はＣ２のカットオフラインも変わってしまう。
【００２８】
本実施形態のアクチュエータは、ステップモータ等の回転モータ３０から成り、モータ軸３０ａに連結された支軸２１ａを介して回転シェード２０を回転駆動する。
そして、この回転モータ３０は、図示しないコントロールユニットにより車両走行状況或いはビーム切換えスイッチ操作に応じて駆動制御されるようになっている。
【００２９】
図３に示すように、追走ハイビーム用配光生成部２０Ａ及び対向ハイビーム用配光生成部２０Ｂは、外周面の所定角度領域において水平軸線Ｈｘから外周面までの径方向距離が略一定の外面形状を有している。また、対向ハイビーム用配光生成部２０Ｂの車体幅方向幅Ｗ２は、追走ハイビーム用配光生成部２０Ａの車体幅方向幅Ｗ１より広く設定されている。更に、通常ハイビーム用配光生成部２０Ｃは、外周面の所定角度領域において水平軸線Ｈｘから外周面までの径方向距離が殆ど無い切欠き部として形成されている。
【００３０】
即ち、本実施形態の場合、回転シェード２０の追走ハイビーム用配光生成部２０Ａが追走ハイビーム用配光パターンＰＨＭを生成し、対向ハイビーム用配光生成部２０Ｂが対向ハイビーム用配光パターンＰＨＮを生成し、通常ハイビーム用配光生成部２０Ｃが通常ハイビーム用配光パターンＰＨを生成するように構成されている（図６参照）。
【００３１】
そして、回転モータ３０が回転シェード２０を回動させて、その外周面に形成された追走ハイビーム用配光生成部２０Ａ、対向ハイビーム用配光生成部２０Ｂ、及び通常ハイビーム用配光生成部２０Ｃを有する複数の配光生成部を選択的に上部に配置すれば、そのリフレクタ反射光遮蔽作用により生成されたハイビーム用配光パターンを切り換えることができる。
【００３２】
例えば、図４に示すように、通常ハイビーム用配光生成部２０Ｃが水平軸線Ｈｘの上方に位置するように回転モータ３０の回動制御が行われると、投影レンズ８の後方側焦点Ｆの焦平面に通常ハイビーム用配光生成部２０Ｃが配置される。すると、リフレクタ１３Ｌ，１３Ｒの反射面１３Ｌａ，１３Ｒａからの反射光Ｂ１，Ｂ２は、回転シェード２０によってほとんど遮蔽されることなく投影レンズ８に入射することとなる。
【００３３】
図６（ａ）は、このとき車両用前照灯１から前方へ照射される光により、灯具前方２５ｍの位置に配置された仮想鉛直スクリーン上に形成される配光パターン例を透視的に示す図である。
同図に示すように、この配光パターンは、反射光Ｂ１による左側ハイビーム用配光パターンＰＨＬと反射光Ｂ２による右側ハイビーム用配光パターンＰＨＲとにより合成された通常ハイビーム用配光パターンＰＨである。
【００３４】
また、図１及び図２に示したように、追走ハイビーム用配光生成部２０Ａが水平軸線Ｈｘの上方に位置するように回転モータ３０の回動制御が行われると、投影レンズ８の後方側焦点Ｆの焦平面に追走ハイビーム用配光生成部２０Ａが配置される。すると、リフレクタ１３Ｌ，１３Ｒの反射面１３Ｌａ，１３Ｒａからの反射光Ｂ１，Ｂ２の一部が遮蔽され、投影レンズ８から前方へ投影されるハイビーム用配光パターンの車幅方向の略中央部が除去されることとなる。
【００３５】
図６（ｂ）は、このとき車両用前照灯１から前方へ照射される光により、灯具前方２５ｍの位置に配置された仮想鉛直スクリーン上に形成される配光パターン例を透視的に示す図である。
同図に示すように、この配光パターンは、反射光Ｂ１による左側ハイビーム用配光パターンＰＨＬと反射光Ｂ２による右側ハイビーム用配光パターンＰＨＲとにより合成されたハイビーム用配光パターンにおいて、Ｈ−Ｈ線より上方の略中央部に遮光部分Ｃ１が形成された追走ハイビーム用配光パターンＰＨＭである。この追走ハイビーム用配光パターンＰＨＭによれば、車両前方の中央を走行する先行車にグレアを与えることなく自車の視認性を向上させることができる。
【００３６】
また、図５に示したように、対向ハイビーム用配光生成部２０Ｂが水平軸線Ｈｘの上方に位置するように回転モータ３０の回動制御が行われると、投影レンズ８の後方側焦点Ｆの焦平面に対向ハイビーム用配光生成部２０Ｂが配置される。すると、リフレクタ１３Ｌ，１３Ｒの反射面１３Ｌａ，１３Ｒａからの反射光Ｂ１，Ｂ２の一部が遮蔽され、投影レンズ８から前方へ投影されるハイビーム用配光パターンの車幅方向の左寄り中央部が除去されることとなる。
【００３７】
図６（ｃ）は、このとき車両用前照灯１から前方へ照射される光により、灯具前方２５ｍの位置に配置された仮想鉛直スクリーン上に形成される配光パターン例を透視的に示す図である。
同図に示すように、この配光パターンは、反射光Ｂ１による左側ハイビーム用配光パターンＰＨＬと反射光Ｂ２による右側ハイビーム用配光パターンＰＨＲとにより合成されたハイビーム用配光パターンにおいて、Ｈ−Ｈ線より上方の左寄り中央部に遮光部分Ｃ２が形成された対向ハイビーム用配光パターンＰＨＮである。この対向ハイビーム用配光パターンＰＨＮによれば、追走ハイビーム用配光パターンＰＨＭの遮光部分Ｃ１よりも幅広の遮光部分Ｃ２が形成されるので、先行車だけでなく車両前方の左側を走行する対向車にもグレアを与えることなく自車の視認性を向上させることができる。
【００３８】
尚、図５に示したように、回転シェード２０の外周面に形成した対向ハイビーム用配光生成部２０Ｂが水平軸線Ｈｘの上方に位置する際には、追走ハイビーム用配光生成部２０Ａが投影レンズ８の後方側焦点Ｆよりも前方に位置することとなる。しかしながら、追走ハイビーム用配光生成部２０Ａの車幅方向側面に入射した半導体発光素子１０Ｌ，１０Ｒからの光Ｄ１，Ｄ２は、反射部２２によって投影レンズ８に入射しない方向へ反射される（図２参照）。
そこで、追走ハイビーム用配光生成部２０Ａの車幅方向側面が投影レンズ８の後方側焦点Ｆよりも前方に位置した際にも、この車幅方向側面で反射した光が投影レンズ８に入射してしまうことはない。従って、対向ハイビーム用配光パターンＰＨＮに形成した遮光部分Ｃ２に、図７に示したようなグレアＰＧを生じることがない。
【００３９】
更に、本実施形態の車両用前照灯１は、光軸Ａｘを挟んで車幅方向に配置された一対の半導体発光素子１０Ｌ，１０Ｒと、各半導体発光素子１０Ｌ，１０Ｒからの光を前方に向けて光軸Ａｘ寄りに反射する左右一対のリフレクタ１３Ｌ，１３Ｒと、を備えている。そこで、一対の半導体発光素子１０Ｌ，１０Ｒをそれぞれ点灯制御することにより、片ハイビーム用配光パターンを容易に得ることができる。
【００４０】
即ち、対向ハイビーム用配光生成部２０Ｂが水平軸線Ｈｘの上方に位置するように回転モータ３０の回動制御を行った後、右側の半導体発光素子１０Ｒを消灯して左側の半導体発光素子１０Ｌのみを点灯させる。すると、リフレクタ１３Ｌの反射面１３Ｌａからの反射光Ｂ２の一部が遮蔽され、投影レンズ８から前方へ投影される片ハイビーム用配光パターンの車幅方向の左側部分が除去されることとなる。
【００４１】
図６（ｄ）は、このとき車両用前照灯１から前方へ照射される光により、灯具前方２５ｍの位置に配置された仮想鉛直スクリーン上に形成される配光パターン例を透視的に示す図である。
同図に示すように、この配光パターンは、反射光Ｂ２による右側ハイビーム用配光パターンＰＨＲにおいて、Ｈ−Ｈ線より上方の左側に遮光部分Ｃ２が形成された片側対向ハイビーム用配光パターンＰＨＲである。この片側対向ハイビーム用配光パターンＰＨＲによれば、先行車だけでなく車両前方の左側をすれ違う対向車にもグレアを与えることなく自車の視認性を向上させることができる。
【００４２】
この様に、本実施形態の車両用前照灯１によれば、図示しないコントロールユニットにより先行車や対向車の有無等に応じて回転モータ３０を駆動制御し、回転シェード２０を車両走行状況に応じて回動させることにより、灯具ユニット５からの光照射によって形成される複数種のハイビーム用配光パターンを選択的に変化させ、走行状態に応じた最適な視認性を得ることができる。
【００４３】
更に、本実施形態の車両用前照灯１によれば、追走ハイビーム用配光生成部２０Ａ及び対向ハイビーム用配光生成部２０Ｂの車幅方向両側面に入射した半導体発光素子１０Ｌ，１０Ｒからの光Ｄ１，Ｄ２は、反射部２２によって投影レンズ８に入射しない方向へ反射される。そこで、追走ハイビーム用配光生成部２０Ａ及び対向ハイビーム用配光生成部２０Ｂの車幅方向側面が投影レンズ８の後方側焦点Ｆよりも前に位置した際にも、この車幅方向側面で反射した光が投影レンズ８に入射してしまうことはない。そこで、各種ハイビーム用配光パターンに形成した遮光部分Ｃ１又はＣ２に、グレアを生じることがない。
【００４４】
尚、上記実施形態における投影レンズ、光源、リフレクタ、シェード機構、回転シェード、アクチュエータ及び反射部などの具体的な構成も、上記実施形態に限定するものではなく、本発明の主旨に基づいて種々の変更が可能であることは云うまでも無い。
例えば、上記実施形態では、光源として半導体発光素子を用いた例を説明したが、放電バルブやハロゲンバルブ等の光源バルブを用いることもできる。また、回転シェードを回動させるアクチュエータとして、ソレノイド及び歯車機構を用いることもできる。
【００４５】
また、上記実施形態では、ハイビーム用配光パターンにおける車幅方向の略中央部を遮光する為に、第１ハイビーム用配光生成部として追走ハイビーム用配光生成部２０Ａを回動軸部材の車幅方向の略中央部に突設したが、本発明の第１ハイビーム用配光生成部は車幅方向のいずれに突設しても良い。例えば、回動軸部材の車幅方向の車両中央側に第１ハイビーム用配光生成部が突設された回動軸部材を備えた車両用前照灯をそれぞれ車両の左右に配置し、車両前方に照射したハイビーム用合成配光パターンにおける車幅方向の略中央部を遮光して遮光部分を形成することもできる。
【００４６】
また、上記実施形態では、反射部を断面三角形の縦目ローレット溝で形成したが、本発明はこれに限定されるものではなく、例えば三角錐や四角錐等の微小な角錐を並べた反射ステップで構成しても良い。
また、上記実施形態では、３つのハイビーム用配光パターンを切り換える構成としたが、回転シェードの切り換え数は、上記実施形態に限定するものではない。即ち、本発明の前照灯を装備する車両の用途、走行環境等を考慮して、要求される配光パターン種に応じて、回転シェードの外周面に形成される配光生成部の数を設定すれば良い。
【符号の説明】
【００４７】
１  車両用前照灯
２  透明カバー（カバー）
３  ランプボディ
４  灯室
５  灯具ユニット
８  投影レンズ
１０Ｌ，１０Ｒ  半導体発光素子（光源）
１０ａ  発光部
１３Ｌ，１３Ｒ  リフレクタ
１３Ｌａ，１３Ｒａ  反射面
１５  シェード機構
２０  回転シェード
２０Ａ  追走ハイビーム用配光生成部（第１ハイビーム用配光生成部）
２０Ｂ  対向ハイビーム用配光生成部
２０Ｃ  通常ハイビーム用配光生成部
２２  反射部
３０  回転モータ（アクチュエータ）
【図１】
0005514666.tif 000002
【図２】
0005514666.tif 000003
【図３】
0005514666.tif 000004
【図４】
0005514666.tif 000005
【図５】
0005514666.tif 000006
【図６】
0005514666.tif 000007
【図７】
0005514666.tif 000008